(57)【特許請求の範囲】
【請求項１】
各ドアを折畳んで互いに一体に結合させるロック装置を備えるとともにこれらのドアを所定の場所に収納保持する電磁レリーズを備え、非常時には前記一体に結合された各ドアを電磁レリーズの解除動作とともにクローザの展開力により開放させた後、各ドアの結合状態が開放・展開されて廊下等の所定の場所を閉鎖する折りドアの閉鎖保持装置であって、
吊元側ドアの戸先上部に設けられ、内設するばねの弾性力が常時付勢され上方に突出可能なストップ部材と、
前記各ドアが一体に結合されているときに吊元側ドア側面と対峙している吊先側ドア側面の上部に設けられ、前記吊元側ドアと吊先側ドアとの結合一体中はストップ部材に取り付けた吊元側ドア側面から一部突出するテーパ部材に当接して前記ストップ部材の上方への突出動作を阻止する押さえ部材とを設けたことを特徴とする折りドアの閉鎖保持装置。
【請求項２】
戸当たりの上枠等の一部と展開時のこの上枠に対向・対面する吊元側ドアとの間に磁力吸引手段を設け、
吊元側ドアが完全に展開し終わる直前に前記吸引手段によって吊元側ドアを上枠側へ吸引して強制的に引き寄せて、吊元側ドアの展開動作に伴うバウンド動作を防止するように構成したことを特徴とする請求項１に記載の折りドアの閉鎖保持装置。
【発明の詳細な説明】
【０００１】
【発明の属する技術分野】
この発明は、複数枚のドアを横並びに連結し、普段は折畳んで収納しておくとともに、非常時には展開して廊下等の所定の場所を閉鎖する折りドアに係り、特に展開した各ドアのうち特に吊元側ドアの捩じれや傾きを防止する折りドアの閉鎖保持装置に関するものである。
【０００２】
【従来の技術】
普段は（壁側の）戸袋に折畳んで収納しておくとともに、火災等の非常時には展開して廊下等の所定の場所を閉鎖する防火用折りドアが開発され使用されている。
【０００３】
また、この折りドアには、普段は折畳んで戸袋内に収納しておくために各ドアを互いに結合一体化するとともに、非常時には電磁レリーズの解除動作により折畳み状態から開放されてクローザで展開させるようにした各ドアを、（防炎・延焼防止等のために所定の場所、例えば廊下等を閉じるために）結合状態から開放するロック装置が開発され使用されている。例えば図８に示すロック装置１０には、第１ドアＡ側のロック部材１００と、このロック部材１００に係合ロックする第２ドアＢ側のフック部材１０１とを備えているものが知られている（このロック装置についての詳細は、実用新案登録第１８７４７５４号公報を参照されたい）。
【０００４】
一方、図９に示すように、各ドアは、折り畳まれてロック装置１０で一体に結合された状態のまま、電磁レリーズ１１により第２ドアＢ側が保持されて戸袋１２内にまとめて収納されている。
【０００５】
また、非常時には、先ず、電磁レリーズ１１の作動によって第２ドアＢの保持状態が解除され、図１０に示すように、第１ドアＡに設けたクローザａの閉扉力で第１ドアＡが（第２ドアＢを折畳み状態で一体に結合させたまま）戸袋１２から開放され廊下等を閉じていく方向に移動する。
【０００６】
その後、図１１に示す第１ドアＡが完全展開される直前において、（例えばロック装置の一部が戸当たりの上枠Ｆ等に接触する等して）ロック部材１００とフック部材１０１との係合が解除される（図８参照）。その結果、第２ドアＢに設けたクローザｂの閉扉力により、第２ドアＢが閉鎖動作を始める。このようにして、最終的には、第２ドアＢが完全に展開した図１１の状態となり、廊下等を完全に閉鎖することができる。
【０００７】
【発明が解決しようとする課題】
一般に、このような折りドアにあっては、吊元のがた等に起因した傾きが戸先側に発生しているものであるが、特に横長・大重量のドアではその傾向が顕著であり、極端な場合にはドアを完全には閉じきれずに防災上大きな問題となることがある。
【０００８】
通常このような折りドアにあっては、第１ドアＡが展開して上枠に固定されると第２ドアＢが第１ドアＡから開放されるので、つまり上枠への第１ドアＡの固定動作により、第２ドアＢ展開動作中における第１ドアＡの捩じれ・傾きはある程度抑えられる。
【０００９】
しかしながら、第１ドアＡが完全に展開動作を完了してから第２ドアＢが開放されるわけではない。即ち、第２ドアＢが開放を開始するときの第１ドアＡの展開（開き）角度は、上チリの大小やロック部材とフック部材との係合位置関係に大きく影響される。即ち、ロック部材が上枠に係止した後ロック穴に完全に入り込むまでの間は第１ドアＡが展開（回転）動作を行い続ける構造となっているが、第２ドアＢは、ロック部材が上枠への係止・回動し始めることによって第１ドアＡから開放されるからである。
【００１０】
さらに、このような構造の折りドアにあっては、第１ドアＡの展開動作完了前に第２ドアＢの展開動作が開始するので、この第２ドアＢの展開動作の影響を微妙に受け、第１ドアＡは最終位置まで展開した後に戸当りに衝突して１〜２回バウンド（開閉方向に往復振動）動作する現象を引き起こす。その結果、この間に、（第１ドアＡが最も捩じれを起こし易い）第１ドアＡに対する９０度開放領域付近を第２ドアＢが通過してしまうので、係るロック装置は第１ドアＡの捩じれ傾き防止の有効な手段とはなり難いのである。
【００１１】
また、仮にタイミングがうまく合って第１ドアＡが上枠に固定されても、第２ドアＢが幅広で大重量の場合にはロック装置でのロック力だけでは甚だ不十分であり、捩じれ傾きを防止することは難しい。
【００１２】
そこで、この発明は上記した事情に鑑み、折りドアを展開し所定の場所を閉鎖する際に、前記折ドアを上枠等に確実に固定して捩じれ傾きを防止することができる折りドアの閉鎖保持装置を提供することを目的とするものである。
【００１３】
【課題を解決するための手段】
本発明は、各ドアを折畳んで互いに一体に結合させるロック装置を備えるとともにこれらのドアを所定の場所に収納保持する電磁レリーズを備え、非常時には前記一体に結合された各ドアを電磁レリーズの解除動作とともにクローザの展開力により開放させた後、各ドアの結合状態が開放・展開されて廊下等の所定の場所を閉鎖する折りドアの閉鎖保持装置であって、吊元側ドアの戸先上部に設けられ、内設するばねの弾性力が常時付勢され上方に突出可能なストップ部材と、前記各ドアが一体に結合されているときに吊元側ドア側面と対峙している吊先側ドア側面の上部に設けられ、前記吊元側ドアと吊先側ドアとの結合一体中はストップ部材に取り付けた吊元側ドア側面から一部突出するテーパ部材に当接して前記ストップ部材の上方への突出動作を阻止する押さえ部材とを設けたものである。
【００１４】
【発明の実施の形態】
以下、この発明の好適な実施例について添付図面を参照しながら説明する。なお、この実施例において、従来と同一部材には同一符号を付して重複説明を避ける。
図１乃至図３はこの発明に係る折りドア（第１ドアＡ及び第２ドアＢからなるが、３枚以上で構成してもよい）の閉鎖保持装置１を示すものである。この実施例に係る折りドアの閉鎖保持装置１は、ストップ部材２と、テーパ部材３と、押さえ部材４と、受け部材５と、永久磁石６（磁力吸引手段）とを備えている。なお、符号７は第１ドアＡと戸当り部との間の隙間を調整するために設けた調整ネジを示すものであり、ドライバ等で隙間が微調節できる。
【００１５】
ストップ部材２は、第１ドア（吊元側ドア）Ａの戸先上部に設けたケーシング２０に上下動自在に内装されており、この同じケーシング２０に内設する（圧縮）ばね２１の弾性力が常時付勢されて上方に突出可能になっている。この実施例のストッパ部材２は、先端（上端）部側に２段の傾斜面を有するテーパが形成されており、上段２Ｕの方の傾斜を下段２Ｄより緩くして後述する受け部材５の挿入穴５１へ挿入し易くなっている。
【００１６】
テーパ部材３は、下側に向けて外側へ拡開した傾斜面形状を有しており、ストップ部材２に固定して取り付けてある。また、このテーパ部材３は、吊元側ドアＡの上部側面に一部設けた窓Ｗから突出するとともに、第１ドアＡに対してストップ部材２と一体で上下方向に移動できるようになっている。
【００１７】
押さえ部材４は、比較的剛性のある薄板状の金属等を略Ｌ字型に折曲して形成されており、第１、第２ドアＡ，Ｂを折り畳んだときにその第１ドアＡと対向・対面する第２ドアＢの側面上部に固着されている。即ち、図２に示すように、第１、第２ドアＡ，Ｂを折り畳んだときに、突出部４１がカバー２２に開口した穴２２Ａから丁度内部に進入してテーパ部材３を下方に押し下げ、ストップ部材２が第１ドアＡの上面から突出しないようになっている。
【００１８】
受け部材５は、図４に示すように、中央部に略矩形状の挿入穴５１を穿設させており、この挿入穴５１の短辺方向の幅寸法Ｗ及び傾斜角度（図３参照）がストップ部材２の下段２Ｄ外周面に内接・密着するように構成されている。
【００１９】
永久磁石６は、戸当たりの上枠等の一部と展開時にこの上枠等に対向・対面する第１ドアＡとの間に設けており、第１ドアＡが完全に展開し終わる直前に磁気的吸引力によって第１ドアＡを上枠側へ吸引して強制的に引き寄せ、バウンドして戻るといったことを防止している。
【００２０】
なお、図６において、この第２ドアＢの開放開始時間をできるだけ遅らせる（角度θを小さくする）には、ロック装置７の第１ドアＡ取付位置によって微妙に変化するものであり、これについては例えば図１１のデータから容易に分かるように、ロック装置１０をできるだけ吊元から離す（Ｌを大きくとる）のが好ましい。
【００２１】
次に、この発明に係る折りドアの閉鎖保持方法について先の実施例の閉鎖保持装置を使用し、図５を参照しつつ説明する。
この実施例の折りドアの開放方法は、第１ステップＳ１から第５ステップＳ５で構成される折りドアによる廊下（通路等でもよい）閉鎖動作のうち、特に第３ステップＳ３及び第５ステップＳ５において適用されている。
【００２２】
第１ステップＳ１では、図９に示すように戸袋１２内に折り畳んで収納されていた第１ドアＡ及び第２ドアＢが、火災等の異常事態が発生すると、これを検知した電磁レリーズ１１が作動し、戸袋１２内での第２ドアＢ側の保持動作を解除する。
第２ステップＳ２では、第１ステップＳ１において電磁レリース１１による第２ドアＢ側の開放により、図１０に示すように、この第２ドアＢ側及びこの第２ドアＢ側と一体に結合されている第１ドアＡが戸袋から抜け出して一体に展開を始める。この状態までは、図２に示すように、ストップ部材２が第１ドアＡ側のケーシング２０（第１ドアＡの上面から突出しない状態で）に収納されている。
【００２３】
第３ステップＳ３では、第１ドアＡの展開動作の完了直前に、この第１ドアＡの展開完了動作に先立ち、ロック装置が作動して第２ドアＢを開放し始める。即ち、具体的には、例えば図８に示すように、ロック装置の一部が戸当たりの上枠Ｆ等に接触する等して，ロック部材１００とフック部材１０１との係合が解除される。その結果、第２ドアＢに設けたクローザの閉扉力により、第２ドアＢが閉鎖動作を始める。
【００２４】
第４ステップＳ４では、この第２ドアＢの開放動作に連動して、第１ドアＡのケーシング２０に収まっていたストップ部材２が上方に突出する。即ち、図２において、第２ドアＢの側方に取り付けた押さえ部材４の突出部４１が第２ドアＢの開放とともに第１ドアＡから離間するので、突出部４１が右方に移動してテーパ部材３の押さえ動作が解除するから、この押さえ部材４から開放されたストップ部材２が、圧縮ばね２１の弾性力で上方に押し出される。これにより、挿入穴５１に達するまで直上の上枠Ｆに先端が当接する。
【００２５】
第５ステップＳ５では、第１ドアＡが最終位置近傍まで展開（回動）してくると、図３に示すように、ストップ部材２の先端部側が挿入穴５１に挿入・係合されるので、このストップ部材２が突っ支い棒のように作用して第１ドアＡの戸先部がしっかりと上枠Ｆ側に固定される。
また、この間、つまりこの第１ドアＡの展開動作の後半から完了までの間の展開途中では、永久磁石６による磁気的吸引力が発生しているので、図１に示すように、第１ドアＡは上枠Ｆ側に強制的に引き寄せられ、第1ドアの展開時に伴うバウンド動作が防止できる。その結果、ストップ部材２は上枠Ｆに設けた挿入穴５１に嵌入し、前記第1ドアＡの戸先側は上枠Ｆに確実に固定され、不安定な捩じれや傾き等の発生する虞れが最小限に抑えられる。更に、前記永久磁石６の磁気的吸引力によって第1ドアは極く短時間で急速に上枠Ｆ側に引き寄せられるので、第２ドアＢが開放されはじめてからストップ部材２が挿入穴５１に挿入されるまでの時間が大幅に短縮される。
【００２６】
最後に、第６ステップＳ６では、第２ドアＢも開放・展開動作が完了するが、この展開動作中に、第１ドアＡがしっかりと３点で支持（即ち、第１ドアＡの回転支軸となるクローザａ、ロック装置１の係合部材１０２による上枠Ｆの係合穴１０３への係合の他に、さらにこのストップ部材２による挿入穴５１への係合）されることにより、幅広、大重量の折りドアであっても、捩じれや傾きの防止をしっかりと行うことができる。これにより、幅広で大重量の防火用折りドアであっても、長期に亙り信頼度の高い防火用折りドアが提供できる。
【００２７】
なお、この実施例において、各ドアを折り畳んで元の戸袋に戻すときには、ここで説明したことと逆の動作が自動的行われ、上昇していたストップ部材２もドア側の元のケーシング２０内に戻ることができる。
【００２８】
【発明の効果】
以上説明してきたようにこの発明によれば、各ドアを折畳んで互いに一体に結合させるロック装置を備えるとともにこれらのドアを所定の場所に収納保持する電磁レリーズを備え、非常時には前記一体に結合された各ドアを電磁レリーズの解除動作とともにクローザの展開力により開放させた後、各ドアの結合状態が開放・展開されて廊下等の所定の場所を閉鎖する折りドアの閉鎖保持装置であって、吊元側ドアの戸先上部に設けられ、内設するばねの弾性力が常時付勢され上方に突出可能なストップ部材と、前記各ドアが一体に結合されているときに吊元側ドア側面と対峙している吊先側ドア側面の上部に設けられ、前記吊元側ドアと吊先側ドアとの結合一体中はストップ部材に取り付けた吊元側ドア側面から一部突出するテーパ部材に当接して前記ストップ部材の上方への突出動作を阻止する押さえ部材とを設けたので、長期間に亙たりドアの傾きを防止することができ、ひいては防火ドアとして信頼性の高いものを提供することができる。
【図面の簡単な説明】
【図１】  この発明に係る折りドアの閉鎖保持装置を示す概略平面図。
【図２】  この発明に係る折りドアの閉鎖保持方法の作用を示す説明図。
【図３】  同説明図。
【図４】  この発明の折りドアの閉鎖保持装置に使用する受け部材を示す説明図。
【図５】  折りドアの展開動作を示すフローチャート。
【図６】  ロック装置の位置と第２ドアの開放開始との関係を示す説明図。
【図７】  ロック装置の位置と第２ドアの開放開始における第1ドアの開放角度との相関関係を示すグラフ。
【図８】  折りドアに使用するロック装置の作用を示す説明図。
【図９】  折りドアの展開動作を示す説明図。
【図１０】  同説明図。
【図１１】  同説明図。
【符号の説明】
１  折りドアの閉鎖保持装置
２  ストッパ部材
３  テーパ部材
４  押さえ部材
５  受け部材
６  永久磁石（磁力吸引手段）
１０  ロック装置
１１  電磁レリーズ
１２  戸袋
Ａ  第１ドア
Ｂ  第２ドア
ａ，ｂ  クローザ
【図１】
0003737649.tif 000002
【図２】
0003737649.tif 000003
【図３】
0003737649.tif 000004
【図４】
0003737649.tif 000005
【図５】
0003737649.tif 000006
【図６】
0003737649.tif 000007
【図７】
0003737649.tif 000008
【図８】
0003737649.tif 000009
【図９】
0003737649.tif 000010
【図１０】
0003737649.tif 000011
【図１１】
0003737649.tif 000012